(57)【特許請求の範囲】
【請求項１】
略水平な使用状態から略垂直に起立されて上面開口した収納部に収納されるテーブル収納装置において、前記テーブルが備える昇降機構を、前記収納部内の左右両側に対向して形成される縦方向のスライドレールに案内されて昇降する縦部材を連結する横部材と、前記横部材に沿って移動可能であり、かつ当該移動に伴い漸次付勢力が増大するように付勢部材に連繋した付勢ローラとを有するものとするとともに、昇降機構の下降に伴い、前記付勢ローラに連係されて、付勢力が増大する方向に付勢ローラを案内して移動させるガイドレールを収納部内に設けたことを特徴とする、テーブル収納装置。
【請求項２】
前記ガイドレールが前記付勢ローラの移動を案内するように傾斜されて設けられている請求項１に記載のテーブル収納装置。
【請求項３】
前記付勢ローラを複数有するものとして、横部材に沿って互いに近接方向に移動させるのに伴い、前記付勢部材の付勢力を漸次増大させるようにするとともに、前記ガイドレールが、前記付勢ローラの近接方向の移動を案内するように、ハの字状に設けられている請求項２に記載のテーブル収納装置。
【請求項４】
前記付勢ローラを複数有するものとして、横部材に沿って互いに離間方向に移動させるのに伴い、前記付勢部材の付勢力を漸次増大させるようにするとともに、前記ガイドレールが、前記付勢ローラの離間方向の移動を案内するように、逆ハの字状に設けられている請求項２に記載のテーブル収納装置。
【請求項５】
前記ガイドレールは、曲線部を有することを特徴とする、請求項１乃至４に記載のテーブル収納装置。
【発明の詳細な説明】
【技術分野】
【０００１】
本発明は、講義椅子や劇場椅子等の椅子の背面テーブルに関し、特に、テーブルの収納装置に関する。
【背景技術】
【０００２】
従来、講義椅子や劇場椅子等に用いられる椅子の背凭れの背面に設けられたテーブルが知られている。このようなテーブルは、椅子の背面に一体に取付けられた箱状の収納部に、テーブルの天板を上下昇降自在に収納し、テーブル使用時には、天板を上方に持ち上げた後、天板を使用者方に回動し略水平状態で使用する構成である。（例えば、特許文献１）
【０００３】
しかしながら、上記テーブルは、前席の背面に一体に形成されていることから、テーブル使用時に生じる振動が前席に伝わりやすいといった問題がある。特に、テーブル収納時において、テーブルが勢い良く収納されてしまうと、前席に大きな振動が生じてしまう恐れがある。また、天板の重量が重いテーブルの場合、収納時の振動のみならず、天板の引き上げ時に大きな力がいるため、テーブルを引き出しづらいといった問題があった。
【０００４】
【特許文献１】特許第３４５９２１９号公報
【発明の概要】
【発明が解決しようとする課題】
【０００５】
本発明は、収納部に収納可能なテーブルに関し、特に、天板の収納時において、天板の下降速度を緩やかにし、振動や騒音を発することなくスムースに収納可能なテーブルを提供することを課題とする。さらには、天板の下降速度を緩和するのみならず、天板の引き上げ時にも、軽い力で天板を持ち上げることが可能なテーブル収納装置を提供することを課題とする。
【課題を解決するための手段】
【０００６】
上記課題を解決すべく、本発明の請求項１に記載の発明は、略水平な使用状態から略垂直に起立されて上面開口した収納部に収納されるテーブル収納装置において、前記テーブルが備える昇降機構を、前記収納部内の左右両側に対向して形成される縦方向のスライドレールに案内されて昇降する縦部材を連結する横部材と、前記横部材に沿って移動可能であり、かつ当該移動に伴い漸次付勢力が増大するように付勢部材に連繋した付勢ローラとを有するものとするとともに、昇降機構の下降に伴い、前記付勢ローラに連係されて、付勢力が増大する方向に付勢ローラを案内して移動させるガイドレールを収納部内に設けたことを特徴とする、テーブル収納装置である。
【０００７】
当該構成によれば、昇降部材の横部材に沿って移動可能であり、かつ当該移動に伴い漸次付勢力が増大するように連繋された付勢ローラを、収納部に設けられたガイドレールに連係させることにより、付勢ローラがガイドレールを押圧し、テーブルの下降に伴い上向きの補助力が生じ、テーブルの下降速度を徐々に緩和することが可能である。よって、天板収納時の振動や騒音を抑え、安全かつスムースにテーブルを収納することが可能である。さらには、テーブルの収納状態から引き出す際に、テーブルに上向きの補助力が生じているため、軽い力で天板を持ち上げることが可能である。
【０００８】
例えば、延伸力を有するダンパの一端に備える付勢ローラをガイドレールに連係させ、付勢ローラがガイドレールを押圧する構成や、他方、収縮力を有するバネに付勢ローラを備え、バネの収縮力により付勢ローラがガイドレールを押圧する等の簡単な構成により、テーブルの下降に伴い、テーブルに上向きの補助力を生じさせることが可能である。
【０００９】
さらには、付勢ローラの一端に収縮力を有するバネを連結し、付勢ローラの他端に延伸力を有するダンパの一端を連係させて、バネの収縮力とダンパの延伸力とを合成することが可能であり、付勢ローラの押圧力を増大させることが可能である。
これにより、天板下降時に、ガイドレールに対する付勢ローラの押圧力を安定して付与することが可能であり、たとえ重量の重いテーブルであっても、よりスムースに天板の下降速度を緩和することが可能である。さらには、テーブルに上向きの補助力を生じるため、天板の持ち上げ時に、軽い力で天板を持ち上げることが可能である。
【００１０】
また、請求項２に記載の発明は、前記ガイドレールが前記付勢ローラの移動を案内するように傾斜されて設けられている請求項１に記載のテーブル収納装置である。
【００１１】
当該構成によれば、ガイドレールを傾斜して設ける簡単な構成により、前記天板の下降に伴い、前記付勢ローラの押圧力を漸次増大させることが可能である。さらには、付勢ローラの押圧力に伴い、上向きの補助力が生じるため、天板の下降速度を緩和するのみならず、天板持ち上げ時にも、軽い力で天板を持ち上げることが可能である。
【００１２】
また、請求項３に記載の発明は、前記付勢ローラを複数有するものとして、横部材に沿って互いに近接方向に移動させるのに伴い、前記付勢部材の付勢力を漸次増大させるようにするとともに、前記ガイドレールが、前記付勢ローラの近接方向の移動を案内するように、ハの字状に設けられている請求項２に記載のテーブル収納装置である。
【００１３】
当該構成によれば、昇降部材の横部材に、付勢力をもって互いに近接するように設けられた複数の付勢ローラを、収納部に設けられた略ハの字状のガイドレールに対して、前記付勢ローラの付勢力が前記テーブルの下降に伴い漸次増大するように連係させることにより、付勢ローラがガイドレールを押圧し、テーブルの下降に伴い上向きの補助力が生じ、テーブルの下降速度を徐々に緩和することが可能である。よって、天板収納時の振動や騒音を抑え、安全かつスムースにテーブルを収納することが可能である。さらには、テーブルの収納状態から引き出す際に、テーブルに上向きの補助力が生じているため、軽い力で天板を持ち上げることが可能である。
【００１４】
例えば、横部材に移動自在に２の付勢ローラを形成し、かつ収縮力を有するバネの両端に付勢ローラをそれぞれ連結し、ハの字状のガイドレールのそれぞれ外方に、左右の付勢ローラを挟み込むように連係させることで、天板の下降に伴い左右の付勢ローラが離間するため、バネが伸びるとともにガイドレールに対する付勢ローラの押圧力が増大し、テーブルの下降速度を確実に緩和することが可能である。特に、左右一対のガイドレールを用いることで、左右均一に押圧力を生じさせることが可能であり、安定してテーブルの下降速度を緩和する効果があるとともに、天板の持ち上げ時に、より軽い力で天板を持ち上げることが可能である。
【００１５】
また、請求項４に記載の発明は、前記付勢ローラを複数有するものとして、横部材に沿って互いに離間方向に移動させるのに伴い、前記付勢部材の付勢力を漸次増大させるようにするとともに、前記ガイドレールが、前記付勢ローラの離間方向の移動を案内するように、逆ハの字状に設けられている請求項２に記載のテーブル収納装置である。
【００１６】
当該構成によれば、昇降部材の横部材に、付勢力をもって互いに離間するように設けられた複数の付勢ローラを、収納部に設けられた略逆ハの字状のガイドレールに対して、前記付勢ローラの付勢力が前記テーブルの下降に伴い漸次増大するように連係させることにより、付勢ローラがガイドレールを押圧し、テーブルの下降に伴い上向きの補助力が生じ、テーブルの下降速度を徐々に緩和することが可能である。よって、天板収納時の振動や騒音を抑え、安全かつスムースにテーブルを収納することが可能である。さらには、テーブルの収納状態から引き出す際に、テーブルに上向きの補助力が生じているため、軽い力で天板を持ち上げることが可能である。
【００１７】
例えば、横部材に移動自在に２の付勢ローラを形成し、かつ収縮力を有するバネの一端を縦部材に連結するとともに、バネの他端を１の付勢ローラに連結して、２の付勢ローラを互いに離間するように設け、逆ハの字状のガイドレールのそれぞれ内方に、左右の付勢ローラを連係させることで、天板の下降に伴い左右の付勢ローラが近接するため、バネが伸びるとともにガイドレールに対する付勢ローラの押圧力が増大し、テーブルの下降速度を確実に緩和することが可能である。特に、左右一対のガイドレールを用いることで、左右均一に押圧力を生じさせることが可能であり、安定してテーブルの下降速度を緩和する効果があるとともに、天板の持ち上げ時に、より軽い力で天板を持ち上げることが可能である。
【００１８】
また、延伸力を有するダンパの両端に付勢ローラを形成し、逆ハの字状のガイドレールのそれぞれ内方に、左右の付勢ローラを連係させることで、天板の下降に伴い、左右の付勢ローラが近接するため、逆ハの字状のガイドレールに対する付勢ローラの押圧力が増大し、テーブルの下降速度を確実に緩和することが可能である。
【００１９】
また、請求項５に記載の発明は、前記ガイドレールは、曲線部を有することを特徴とする、請求項１乃至４に記載のテーブル収納装置である。
【００２０】
当該構成によれば、ガイドレールの曲線部に沿って付勢ローラが走行することにより、付勢ローラの横部材上での移動量が急激に増大し、付勢部材の付勢力が増大する効果がある。よって、ガイドレールに対する付勢ローラの押圧力を簡単に増大させることが可能であり、天板の下降速度を大きく緩和することが可能であり、天板の下降速度に変化を与えることが可能である。
【発明を実施するための形態】
【００２１】
本発明のテーブル収納装置１が用いられる好適な一例としては、図１に示すように、劇場や会議場などで好適に使用される椅子２の背凭れ２ａの背面に設けられたテーブル収納装置１が挙げられる。このような椅子２は、横方向に連結された複数の椅子２が、前後方向へと複数列にわたって配置されており、座面２ｂを上下に回動可能なそれぞれの椅子の背凭れ２ａの背面には、内部にテーブル３を有するテーブル収納装置１が形成されている。そして、該テーブル収納装置１のテーブル３を使用する際には、前方の椅子２のテーブル収納装置１のテーブル３を引き出して使用する構成である。
【００２２】
すなわち、個々の椅子２は、図２に示すように、背凭れ２ａの背面部分に箱状の収納部５を有し、該収納部５の内部に収納されたテーブル３の天板３（図中点線部分）を、該テーブル３の使用時において、天板の把手部Ｔを持ち天板３を上方に引き出した後、略水平方向に回動させることにより水平状態でテーブル３を使用する構成である。
【００２３】
一般にこのようなテーブル収納装置１は、前席の背凭れ２ａの背面に形成されていることから、テーブル使用時に生じる振動等が、前席に伝わりやすいといった欠点がある。特に、テーブル３の収納時において、天板３が収納部内２に勢い良く下降してしまうと、前席に大きな振動が生じてしまう恐れがある。これに対して、本発明のテーブル収納装置１は、後述する、テーブル３の収納時において、収納部内で天板３の下降速度を緩やかにすることで、天板収納時の振動や騒音を軽減する効果がある。
【００２４】
（実施例１）
以下に、本発明のテーブル収納装置１の構成について詳述する。
まず、本発明のテーブル３は、図３に示すように、テーブル使用時において、天板３を水平方向へと回動して使用する構成であり、他方、テーブル収納時において、天板３を垂直方向に起立させた状態で、図示しない収納部５の上方開口から収納部５の内部へと収納する構成である。
【００２５】
前記天板３は、天板３の下方に形成された左右の回動軸３３を支点に回動自在となっており、さらに、前記回動軸３３には、後述する収納部内を天板３とともに上下昇降する昇降機構としての昇降部材４が連結されている。
【００２６】
該昇降部材４は、前記左右の回動軸３３にそれぞれ軸支される長板状の縦部材３１と、該左右の縦部材３１を連結する断面コ字状のスライドレールからなる横部材３２とからなる。前記縦部材３１は、上下にそれぞれ昇降ローラ３４を有し、該昇降ローラ３４は、後述する収納部内に設けられた縦方向のスライドレール２２に沿って上下方向に昇降自在である。
【００２７】
また、前記横部材３２は、該横部材３２に沿って左右方向に走行する複数のガイドローラ３５を有し、２のガイドローラ３５を裏面に軸支する１の走行板３６が、横部材３２に沿って左右に移動自在に構成されている。また、前記走行板３６の表面中央には、１の付勢ローラＢを回動自在に軸支しており、該付勢ローラＢが前記走行板３６とともに、横部材３２を左右方向（水平方向）に移動自在に構成されている。
【００２８】
特に、前記横部材３２は、左右一対の前記走行板３６，３６を有しており、左右の走行板３６，３６を収縮自在な付勢部材Ａ（例えば、収縮するバネＡ）により連繋することで、左右一対の走行板３６，３６が、常に近接する方向に付勢力を生じている。
【００２９】
このように、昇降部材４の縦部材３１の上端に、天板３を回動自在に軸支３３するとともに、左右の縦部材３１、３１を連結する横部材３２に、該横部材３２に沿って左右方向に移動自在な左右一対の走行板３６，３６を設け、左右一対の走行板をバネ等の付勢部材Ａで連繋することにより、後述する、天板３の下降に伴い、走行板３６に軸支される付勢ローラＢが収納部５に形成されるガイドレール２１に沿って走行するとともに走行板３６が徐々に離間を開始し、当該走行板３６の離間によりバネＡの付勢力を漸次増大せしめ、走行板３６の付勢ローラＢが収納部５のガイドレール２１を押圧することにより昇降部材４に上向きの補助力を生じさせ、天板３の下降速度を緩和させる構成である。
【００３０】
すなわち、テーブル３を収納する際には、まず、図４に示すように、水平状態のテーブルの天板３を、回動軸３３を支点に上方へと回動し、天板３を略垂直に起立させる。天板３の起立状態では、天板３と昇降部材４の縦部材３１とが略一直線に起立となり、収納部の上部開口から天板３が下降を開始することとなる。
【００３１】
このとき、前記収納部５の内部における左右側面には、断面コ字状のスライドレール２２がそれぞれ形成されており、昇降部材４の縦部材３１に設けられた上下の昇降ローラ３４，３４が、収納部５の前記昇降レール２２に上下昇降自在に連係されている。
【００３２】
他方、収納部５の中央には、斜めに傾斜するガイドレール２１が、左右一対かつ略ハの字状に形成されている。このガイドレール２１は、収納部５の前面パネルの裏面かつテーブル３の天板面と平行に止め具２５を介して固定されている。
【００３３】
また、ガイドレール２１の側面部分は、前記付勢ローラＢが摺動もしくは回動してガイドレール２１に沿って走行することが可能な形状であり、後述する、付勢ローラＢがガイドレール２１の側面部分を押圧することで、付勢ローラＢとガイドレール２１との間に摩擦抵抗を生じるとともに、傾斜面を水平方向から押圧することによる上方向への補助力を生じさせる構成である。
【００３４】
特に、前記左右の付勢ローラＢ、Ｂが、収納部５のガイドレール２１を左右外方から挟み込むように連係しており、図５に示すように、天板３の下降に伴い、昇降部材４に設けられた付勢ローラＢがガイドレール２１に沿って走行しつつ下降し、同時に、付勢ローラＢが横部材３２に沿って左右方向にそれぞれ移動するため、左右の付勢ローラＢ、Ｂが互いに離間を開始することとなる。
【００３５】
そして、左右の付勢ローラＢが離間することで、左右の走行板間３６，３６に連結された付勢部材Ａ（バネＡ）が伸びて、左右の付勢ローラＢを内方に引く力が増大することとなる。このとき、斜めに傾斜するガイドレール２１に対して、付勢ローラＢを横方向から水平に押圧することで、昇降部材４の自然落下に対する抗力を発生させることが可能である。
【００３６】
すなわち、図６に示すように、天板３の自重により自由落下する力Ｆ１に対して、左右の付勢ローラＢがバネ等の付勢部材Ａによる付勢力Ｆ２によりガイドレール２１の傾斜面を水平方向に押圧するため、上方向の補助力Ｆ３が生じることとなる。この補助力Ｆ３は、バネＡの伸びに比例して増大するため、天板３の下降に伴い、上向きの補助力Ｆ３が漸次増大することとなる。よって、天板３の下降に伴い、走行レール２１に対する回動ローラＢの押圧力が増すとともに、上方向への補助力Ｆ３が増大すため、天板３の下降速度を徐々に緩和することが可能である。
【００３７】
よって、天板３の下降に伴い、ガイドレール２１に対する付勢ローラＢの押圧力が増すとともに、上方向への補助力Ｆ３が増大すため、天板３の下降速度を徐々に緩和することが可能である。
【００３８】
さらに、本発明のテーブル収納装置１は、天板３の収納状態から再び天板３を持ち上げる際にも、軽い力で天板３を持ち上げ始めることが可能である。すなわち、天板３の収納状態では、図７に示すように、付勢ローラＢの離間が最大であり、付勢ローラ間を連結するバネ力が最大である。よって、天板３に働く上方向への補助力が最大の状態であり、天板３を持ち上げる際に前記補助力が合成されるため、天板３を軽い力で持ち上げることが可能である。
【００３９】
このように、本発明のテーブル収納装置１は、収縮力を有するバネＡの両端に付勢ローラＢを形成し、ハの字状のガイドレール２１のそれぞれ外方に、左右の付勢ローラＢを連係させることで、天板３の下降に伴い左右の付勢ローラＢが離間するため、ハの字状のガイドレール２１に対する付勢ローラＢの押圧力が漸次増大し、テーブル３の下降速度を徐々に緩和することが可能である。特に、左右一対のガイドレール２１を用いることで、左右均一に押圧力を生じさせることが可能であり、安定かつ確実にテーブル３の下降速度を緩和する効果があるとともに、天板３の持ち上げ時にも、より軽い力で天板を持ち上げることが可能である。
【００４０】
上記例では、バネＡの両端に付勢ローラＢを形成した例を示したが、これに限らず、例えば、延伸力を有するダンパＡ’の両端に付勢ローラＢを形成してもよく、ダンパの延伸力によりテーブル３の下降速度をに緩和する構成であってもよい。
【００４１】
（実施例２）
また、上記例では、ハの字状のガイドレール２１に連係させる例を示したが、逆ハの字状のガイドレール２１のそれぞれ内方に、左右の付勢ローラＢを連係させる構成であってもよく、上記同様、天板３の下降に伴い、左右の付勢ローラＢが近接し、付勢部材の付勢力が、逆ハの字状のガイドレール２１に対する付勢ローラＢの押圧力となり、該押圧力の増大によりテーブル３の下降速度を確実に緩和することが可能である。
【００４２】
さらに、ガイドレール２１が直線の場合を示したが、これに限らず、ガイドレール２１に曲線部Ｗを設けてもよく、付勢ローラＢがガイドレール２１を押圧する力を、天板３の下降高さによって調整することが可能である。また、付勢ローラを左右の縦部材にそれぞれバネを持って連結してもよく、何れにせよ、付勢ローラＢがガイドレール２１を押圧する方向が傾いている状態、かつ、上方向に補助力を生じさせる構成であれば、付勢ローラＢやガイドレール２１の位置および形状は限定されるものではない。
【００４３】
例えば、図８に示すように、付勢ローラＢの走行経路の一部に曲線部Ｗをガイドレール２１に設け、かつ、ガイドレール２１を逆ハの字状に配置する。また、横部材３２に沿って移動する走行板３６の一端と縦部材３１とを、バネ等の収縮力を有する付勢部材Ａにより連結する。これにより、左右の付勢ローラＢが互いに離間する方向へと付勢力を生じている。
【００４４】
そして、左右の付勢ローラＢを、それぞれ左右のガイドレール２１の内側面に当接させることで、上記同様の効果を奏することが可能である。すなわち、左右の付勢ローラＢが、ガイドレール２１を内方から外方へと押圧し、かつ、ガイドレール２１が、付勢ローラの下降に伴いバネＡが伸びる方向に傾斜しているため、天板３の下降に伴い、図９に示すように、付勢ローラＢがガイドレール２１に沿って横部材３２の中央方へと移動するとともに、縦部材３１と走行板３６との間に連結されるバネＡがそれぞれ伸びるため、付勢ローラＢのガイドレール２１に対する押圧力が漸次増大することとなる。よって、上記例と同様に天板３の自重を打ち消す上方向に補助力が生じることとなるため、天板３の下降速度が緩和される効果がある。
【００４５】
特に、図１０に示すように、付勢ローラＢがガイドレール２１の曲線部Ｗを走行するとき、付勢ローラＢの左右方向への移動量が急激に増加するため、これに伴い、バネＡの伸びが急激に増して、ガイドレール２１に対する付勢ローラＢの押圧力が大きく増大することとなる。よって、ガイドレール２１の曲線部Ｗにおいて、天板３の下降速度が大きく緩和される効果がある。
【００４６】
このように、ガイドレール２１の曲線部Ｗに沿って付勢ローラＢが走行することにより、付勢ローラＢの左右方向への移動量が急激に増大し、付勢部材Ａの付勢力が大きく増大する効果がある。よって、天板３の下降速度を大きく緩和することが可能であり、天板の下降速度に変化を与えることが可能である。
【００４７】
（実施例３）
上記例では、ガイドレール２１を左右対称に設けた例を示したが、さらに、簡単な構成とすべく、１のガイドレール２１に付勢ローラＢの押圧力を付与する構成であってもよい。また、前記付勢部材Ａは収縮方向に付勢力を生じるバネＡに限らず、延伸方向に付勢力を生じるバネまたはダンパ等の付勢部材Ａ’であってもよい。
【００４８】
例えば、図１１に示すように、収納部５の上方から下方にかけて、右方向に傾斜する１のガイドレール２１を設け、１の付勢ローラＢをガイドレール２１の右側面に連係させる。そして、付勢ローラＢを軸支する横部材上の走行板３６の左側と、昇降部材の左側の縦部材３１との間を、収縮力を有するバネＡにより連結する。さらには、走行板３６の右側と、昇降部材の右側の縦部材３１との間を、延伸力を有するダンパＡ’により連結する。
【００４９】
これにより、天板３の下降に伴い、図１２に示すように、ガイドレール２１に沿って付勢ローラＢが走行するとともに、付勢ローラＢが横部材に沿って右方へと移動することとなる。このとき、走行板３６の左方のバネＡが延伸し、他方、走行板３６の右方のダンパＡ’が収縮することとなる。
【００５０】
そして、バネＡの収縮力およびダンパＡ’の延伸力により付勢ローラＢがガイドレール２１に対して左方への押圧力を生じることとなり、天板３の下降に伴い、付勢ローラＢの押圧力が漸次増大する構成である。よって、天板３の下降速度が徐々に緩和され、上記同様、天板３を緩やかに収納することが可能である。
【００５１】
以上のように、本発明のテーブル収納装置１は、収納部５に設けられたガイドレール２１に沿って、テーブル３の昇降部材４の付勢ローラＢが連係することにより、当該付勢ローラＢがガイドレール２１を押圧し、テーブル３の下降に伴い、ガイドレール２１に対する付勢ローラＢの押圧力が漸次増大するため、テーブル３に上向きの補助力が生じ、テーブル３の下降速度を徐々に緩和することが可能である。よって、天板収納時の振動や騒音を抑えることが可能である。さらには、テーブル３を引き出すときも、テーブル３に生じる上向きの補助力により、軽い力で天板３を持ち上げることが可能である。
【００５２】
何れにせよ、本発明のテーブル収納装置１は、天板３の下降時において、付勢ローラＢがガイドレール２１の傾斜に沿って下降し、天板３の上昇時において、付勢ローラＢがガイドレール２１の傾斜に沿って登る構成であって、特に、天板３の下降に伴い、付勢ローラＢがガイドレール２１を押圧することで、天板３に上方向への補助力を生じる構成であればよく、ガイドレール２１の配置や形状、さらには、付勢ローラＢを付勢する方向や部材など、上記効果を奏するものであれば適宜採用することが可能である。
【００５３】
例えば、延伸力を有するダンパＡ’に付勢ローラＢを備え、該付勢ローラＢをガイドレール２１に連係させることで、テーブル３の下降に伴い、ダンパＡ’の延伸力により付勢ローラＢがガイドレール２１を押圧する構成や、収縮力を有するバネＡに付勢ローラＢを備え、バネＡの収縮力により付勢ローラＢがガイドレール２１を押圧する簡単な構成により、テーブル３に上向きの補助力を生じさせることが可能である。
【００５４】
さらには、収縮力を有するバネＡの一端に付勢ローラＢを備え、他方、延伸力を有するダンパＡ’の一端に前記付勢ローラＢを連係させることで、バネＡの収縮力と、ダンパＡ’の延伸力とを合成させ、付勢ローラＢの押圧力を増大させることが可能である。これにより、天板下降時に、ガイドレール２１に対する付勢ローラＢの押圧力を安定かつ強力に付与することが可能であり、たとえ、重量の重い天板であっても天板３の下降速度を確実に緩和することが可能である。さらには、天板３の持ち上げ時にも、軽い力で天板３を持ち上げることが可能である。
【００５５】
特に、本発明のテーブル収納装置１は、ガイドレール２１の傾斜角度を適宜変更させることにより、ガイドレール２１に対する付勢ローラＢの付勢力が調整可能であり、昇降機構の減速速度を適宜調整することが可能である。
【００５６】
上記例では、前記ガイドレール２１が長尺状の部材を用いているが、これに限らず、収納部５の内側壁に、溝条や凸条などを直接設けても良い。さらに、上記例では、収納部５の前方パネルの裏面に前記ガイドレール等を設けているが、これに限らず、収納部の裏面パネルにこれらを設ける構成であってもよい。
【００５７】
また、本発明のテーブル収納装置１は椅子２に限らず、壁面やパネルに形成してもよく、例えば、最前列の席の場合、図１３に示すように、最前席の正面にパネル６を形成し、該パネル６にテーブル３を収納した収納部５を取付ける構成であってもよい。さらには、椅子２の肘掛けに設けることも可能であり、通常の使用形態において形成し得るいかなる方法をも採用することが可能である。
【図面の簡単な説明】
【００５８】
【図１】本発明のテーブル収納装置の使用状態の一例を示す略正面斜視図である。
【図２】本発明のテーブル収納装置の使用状態の一例を示す略背面斜視図である。
【図３】テーブルと昇降機構とを示す説明図である。
【図４】テーブルの収納時を示す説明図である。
【図５】テーブルの収納時を示す説明図である。
【図６】テーブルの収納時を示す説明図である。
【図７】テーブルの収納状態を示す説明図である。
【図８】本発明の別の例を示す説明図である。
【図９】本発明の別の例を示す説明図である。
【図１０】本発明の別の例を示す説明図である。
【図１１】本発明のさらに別の例を示す説明図である。
【図１２】本発明のさらに別の例を示す説明図である。
【図１３】本発明のテーブル収納装置の使用状態の一例を示す斜視図である。
【符号の説明】
【００５９】
１  テーブル収納装置
２  椅子
３  テーブル（天板）
４  昇降機構
５  収納部
Ａ  付勢部材（バネ）
Ａ’  付勢部材（ダンパ）
Ｂ  付勢ローラ
２１  ガイドレール
２２  スライドレール
３１  縦部材
３２  横部材（スライドレール）
３６  走行板
【図１】
0005622464.tif 000002
【図２】
0005622464.tif 000003
【図３】
0005622464.tif 000004
【図４】
0005622464.tif 000005
【図５】
0005622464.tif 000006
【図６】
0005622464.tif 000007
【図７】
0005622464.tif 000008
【図８】
0005622464.tif 000009
【図９】
0005622464.tif 000010
【図１０】
0005622464.tif 000011
【図１１】
0005622464.tif 000012
【図１２】
0005622464.tif 000013
【図１３】
0005622464.tif 000014